(57)【要約】【課題】  本締め状態における袋ナットの継手本体に対する緩みを防止し、袋ナットが緩んで流体が漏出することを防止するとともに、仮締め状態における袋ナットの継手本体に対する緩みも防止しすることにより、出荷後施工前までの袋ナットの脱落を防止し、部品同士により傷が生ずるおそれなどを低減することができる管継手を提供すること。【解決手段】  袋ナット３０に、周回状に形成される突状部３７を備え、リング部材５０に突状部３７が乗り越え可能な第一突起５３ｃおよび第二突起６０ｃを軸方向に隣接して備え、袋ナット３０の継手本体１０の雄ねじ部２６に対する仮締めによる螺着で袋ナット３０の仮締めに対する緩みが防止され、さらに袋ナット３０の雄ねじ部２６に対する本締めで、袋ナット３０の本締めに対する緩みが防止されるようにした。【選択図】    図１
2015218758.tif 000002
【特許請求の範囲】
【請求項１】
外周の一部に雄ねじ部が形成され、該雄ねじ部の軸方向奥側に円周溝を有する継手本体と、前記雄ねじ部に螺着可能な雌ねじ部を有する袋ナットと、前記円周溝に嵌合可能なリング部材とを有するとともに、
前記袋ナットまたはリング部材の一方に、周回状に形成される突状部を備え、
他方に前記突状部が乗り越え可能な第一突起および第二突起を軸方向に隣接して備え、
袋ナットの雄ねじ部に対する仮締めによる螺着で突状部が第一突起を乗り越えることで、袋ナットの仮締めに対する緩みが防止され、
さらに袋ナットの雄ねじ部に対する本締めで突状部が第二突起を乗り越えることで、袋ナットの本締めに対する緩みが防止されることを特徴とする管継手。
【請求項２】
前記第一突起は、袋ナットを継手本体に螺着する際に、第二突起よりも先に前記突状部が接触する位置に備えられており、袋ナットを雄ねじ部に螺着する際に前記突状部が接触する側に向かって徐々に低くなるテーパー部を備えたことを特徴とする請求項１に記載の管継手。
【請求項３】
前記第一突起および前記第二突起を、袋ナットまたはリング部材に、それぞれ軸回りに周回状に複数備えたことを特徴とする請求項１または請求項２に記載の管継手。
【請求項４】
前記第一突起および前記第二突起を、袋ナットまたはリング部材に、それぞれ軸回りの同位置に備えたことを特徴とする請求項３に記載の管継手。
【請求項５】
前記第一突起および前記第二突起を、リング部材に備えたことを特徴とする請求項１から請求項４のいずれかに記載の管継手。
【請求項６】
前記第一突起と第二突起との間には、前記突状部が係合する溝部を備えたことを特徴とする請求項１から請求項５のいずれかに記載の管継手。
【請求項７】
前記リング部材は、袋ナットのねじ込み位置を確認するための表示リングであることを特徴とする請求項１から請求項６のいずれかに記載の管継手。
【発明の詳細な説明】
【技術分野】
【０００１】
本発明は、管継手に関し、特に給水用配管または給湯用配管などを接続するための管継手に関する。
【背景技術】
【０００２】
従来、給水用配管または給湯用配管などを接続するための管継手として、例えば継手本体に袋ナットを締め付けることにより、配管を継手本体に接続する管継手が広く用いられている。このような管継手は、継手本体に袋ナットを組みつけ、仮締めした状態として出荷される。継手本体に袋ナットを組みつけた状態とすることにより、搬送時に両部品が接触して傷が生じないようにするとともに、本締め状態ではなく仮締め状態とすることにより、施工現場において配管の端部をそのまま管継手に挿入可能とし、施工現場での接続作業を円滑に、また確実に行えるようにするためである。
【０００３】
このような管継手は、例えば特開２００８−３８９２４号公報に記載のものを例示することができる。この管継手では、袋ナットの本締め状態において、継手本体の円周溝にはめ込まれたリング部材が袋ナットの係止溝にはめ込まれるので、袋ナットの本締め後に管継手に加えられる振動などにより袋ナットが緩まないようにすることができる（特許文献１参照）。
【先行技術文献】
【特許文献】
【０００４】
【特許文献１】特開２００８−３８９２４号公報（図１〜図３）
【発明の開示】
【発明が解決しようとする課題】
【０００５】
しかしながら、特許文献１の管継手では、前述したような仮締め状態において袋ナットが緩まないようにすることができなかった。特許文献１の管継手では、本締め状態においてはリング部材が袋ナットの係止溝にはめ込まれた状態とされて、継手本体の軸心方向における袋ナットの移動を規制することができる。しかしながら、仮締め状態（特許文献１の図２参照）では、袋ナットの端部がそのねじ込み方向においてリング部材に当接可能とされているだけである。よって、仮締め状態においては振動などにより袋ナットが緩むおそれがあり、前述のように出荷後から施工までの間に継手本体から袋ナットが抜け落ちて、両部品の接触により外表面に傷が生じるおそれなどがあり、また、施工現場においてあらためて継手本体に袋ナットを取り付ける作業が発生してしまい、作業性が低下するなどの問題が生じていた。
【０００６】
本発明は前述した従来技術の問題点を解決しようとするものであり、本締め状態における袋ナットの継手本体に対する緩みを防止し、袋ナットが緩んで流体が漏出することを防止するとともに、仮締め状態における袋ナットの継手本体に対する緩みも防止することにより、出荷後施工前までの袋ナットの脱落を防止し、部品同士により傷が生ずるおそれなどを低減することができる管継手を提供することを目的とする。
【課題を解決するための手段】
【０００７】
以上の課題を解決するために、本発明の採った手段を以下に説明する。本発明の第一の手段の管継手は、外周の一部に雄ねじ部が形成され、該雄ねじ部の軸方向奥側に円周溝を有する継手本体と、前記雄ねじ部に螺着可能な雌ねじ部を有する袋ナットと、前記円周溝に嵌合可能なリング部材とを有するとともに、前記袋ナットまたはリング部材の一方に、周回状に形成される突状部を備え、他方に前記突状部が乗り越え可能な第一突起および第二突起を軸方向に隣接して備え、袋ナットの雄ねじ部に対する仮締めによる螺着で突状部が第一突起を乗り越えることで袋ナットの仮締めに対する緩みが防止され、さらに袋ナットの雄ねじ部に対する本締めで突状部が第二突起を乗り越えることで袋ナットの本締めに対する緩みが防止されることを特徴とするものである。
【０００８】
本発明の管継手では、前述のように袋ナットまたはリング部材の一方に突状部が、他方に軸方向に隣接した二つの突起を備えているので、袋ナットは、仮締めの位置および本締めの位置のいずれにおいても、継手本体に対する緩みを防止することができる。
【０００９】
また、本発明の第二の手段の管継手は、前記第一突起は、袋ナットを継手本体に螺着する際に、第二突起よりも先に前記突状部が接触する位置に備えており、袋ナットを雄ねじ部に螺着する際に、前記突状部が接触する側に向かって徐々に低くなるテーパー部を備えたことを特徴とするものである。
【００１０】
このようなテーパー部を袋ナットまたはリング部材の第一突起に備えることにより、袋ナットを仮締めする際に、突状部が第一突起を円滑に乗り越えることができる。よって、仮締めを本締めよりも容易に行えるようにすることができる。
【００１１】
また、本発明の第三の手段の管継手は、前記第一突起および前記第二突起を、袋ナットまたはリング部材に、それぞれ軸回りに周回状に複数備えたことを特徴とするものである。
【００１２】
袋ナットまたはリング部材の第一突起および第二突起を複数に分割して備えることにより、突状部は、袋ナットまたはリング部材の軸回りにおいて、特に第一突起および第二突起を備えた部位においてリング部材が弾性変形するなどして第一突起および第二突起を乗り越えればよいので、突状部が第一突起および第二突起をより円滑に乗り越えることができる。
【００１３】
また、本発明の第四の手段の管継手は、前記第一突起および前記第二突起を、袋ナットまたはリング部材に、それぞれ軸回りの同位置に備えたことを特徴とするものである。
【００１４】
袋ナットまたはリング部材の第一突起および第二突起をこのように備えることにより、特に第一突起および第二突起を備えた特定の部位において、リング部材が弾性変形するなどして第一突起および第二突起を乗り越えればよいので、突状部が第一突起および第二突起をより円滑に乗り越えることができる。
【００１５】
また、本発明の第五の手段の管継手は、前記第一突起および前記第二突起を、リング部材に備えたことを特徴とするものである。
【００１６】
第一突起および第二突起をリング部材に備えることとしたので、袋ナットにこれらを備える場合よりも、より容易に第一突起および第二突起を管継手に備えることができ、本発明の管継手の製造コストを低減することができる。
【００１７】
また、本発明の第六の手段の管継手は、前記第一突起と第二突起との間には、前記突状部が係合する溝部を備えたことを特徴とするものである。
【００１８】
袋ナットまたはリング部材はこのような溝部を備えることにより、仮締め状態において突状部が溝部に係合するので、仮締め時に誤って本締めまでしてしまうおそれを低減することができる。
【００１９】
また、本発明の第七の手段の管継手は、前記リング部材は、袋ナットのねじ込み位置を確認するための表示リングであることを特徴とするものである。
【００２０】
リング部材としてこのような表示リングを用いることにより、袋ナットのねじ込み位置をより確実に確認することもできる。
【発明の効果】
【００２１】
本発明の管継手は前述のように構成されているので、袋ナットは、仮締めの位置および本締めの位置のいずれにおいても継手本体に対する緩みを防止することができ、袋ナットが緩んで流体が漏出することを防止することができるとともに、出荷後施工前までの仮締め状態における袋ナットの脱落を防止して、部品同士により傷が生ずるおそれなどを低減することができる。
【図面の簡単な説明】
【００２２】
【図１】図１は、本発明の管継手において、配管を挿入した仮締め状態の一部縦断面図である。
【図２】図２は、図１の管継手の要部拡大縦断面図である。
【図３】図３は、リング部材の底面図である。
【図４】図４は、リング部材の側面視一部断面図である。
【図５】図５は管継手において、袋ナットを継手本体に螺着し、仮締め状態となる前に、第一突起に袋ナットの突状部を当接させた状態の要部拡大縦断面図である。
【図６】図６は、配管を挿入した本締め状態の管継手の要部拡大縦断面図である。
【図７】図７は、本発明の第二の実施の形態の管継手の要部拡大縦断面図である。
【図８】図８は、本発明の第三の実施の形態の管継手の要部拡大縦断面図である。
【図９】図９は、本発明の第四の実施の形態の管継手の要部拡大縦断面図である。
【発明を実施するための形態】
【００２３】
次に、本発明の実施の形態について図を参考にして詳細に説明する。図１に示すように、
本発明の管継手１は、例えば給水源（図示省略）と給水栓（図示省略）とを接続するために用いられるもので、概ね円筒状に形成された継手本体１０と、この継手本体１０の雄ねじ部２６に螺着される袋ナット３０と、継手本体１０に嵌合されるリング部材５０と、袋ナット３０により継手本体１０との間に配管２を挟着固定するための締付リング４０とを備えている。
【００２４】
管継手１は袋ナット３０を用いて、例えば継手本体１０の一端側の接続部１４には、給水栓に接続された接続管の端末具（図示省略）を接続する。一方、給水源に接続された給水用配管などの配管２を継手本体１０の他端側の円筒部２０に接続する。配管２は袋ナット３０の本締めにより、継手本体１０に堅固に接続固定される。
【００２５】
図１および図２に示すように、管継手１の継手本体１０は前述したように概ね円筒状に形成されており、その軸心方向の中央付近において径方向外側に向けて周設されたナット部１２と、その軸心方向の一端側の円筒部２０と他端側の接続部１４とを備えている。継手本体１０は、例えば銅合金（青銅、黄銅等）やステンレス鋼で形成することができる。
【００２６】
継手本体１０の接続部１４は、前述したように給水栓から延設された接続管などの端末具（図示省略）が接続可能なように、その外周面に雄ねじ１５が刻設された中空の円筒状に形成されている。ナット部１２は平面視において外周面に二面幅が形成され、接続部１４および円筒部２０よりも大径に形成されている。
【００２７】
継手本体１０のナット部１２と円筒部２０との間には、円周溝２２が周設されている。この円周溝２２には後述するようにリング部材５０の嵌合フランジ７０が嵌合可能である。円周溝２２よりも継手本体１０の先端側には、リング部材５０全体が嵌合される嵌合小径部２４が形成されている。そしてこの嵌合小径部２４よりも先端側には円筒部２０が設けられ、その外周面には雄ねじ部２６が刻設されている。
【００２８】
円筒部２０の内周面には、２つのＯリング用溝２８が備えられ、これらのＯリング用溝２８には、配管２の外周面に圧着されるＯリング２９がそれぞれ装着されている。また、円筒部２０の内周面の奥端には、円筒部２０に挿嵌される配管２の端部が係止される段部２７が形成されている。
【００２９】
継手本体１０の雄ねじ部２６に螺着される袋ナット３０の一端には、先端寄りに傾斜して先細りとなる外周面を有するとともに配管２の外径とほぼ同じ内径の開口部３２を有する先細部３１と、雄ねじ部２６に螺着される雌ねじ部３３とを備えている。袋ナット３０は継手本体１０と同様に、例えば銅合金（青銅、黄銅等）やステンレス鋼で形成することができる。先細部３１の内周面には、先端寄りが小径となるように傾斜される傾斜面３４が備えられており、後述するように、袋ナット３０の本締めの際に、袋ナット３０内に取り付けられる締付リング４０の傾斜面４２を、この傾斜面３４により押圧可能に構成されている。
【００３０】
袋ナット３０の他端には開口部３５が形成され、この開口部３５の内周面には、雌ねじ部３３の奥側寄りの内周面よりも大径に形成された凹部３６が形成されている。また、この凹部３６の開口縁付近には、径方向内向きに周回状に形成される突状部３７が備えられている。突状部３７の縦断面形状は、開口部３５の先端方向が先細となるテーパー部３８とされている。また突状部３７のテーパー部３８と反対側は、袋ナット３０の軸心方向に対してほぼ垂直の係止面３９とされている。
【００３１】
継手本体１０の円筒部２０の先端面と、袋ナット３０の先細部３１の内周面の傾斜面３４と、施工場所において挿嵌される配管２の外周面とにより囲まれる空間には、前述した締付リング４０が取り付けられている。締付リング４０は、縦断面がほぼ三角形状に形成されている。そして、締付リング４０は、袋ナット３０が本締めのために継手本体１０の雄ねじ部２６にねじ込まれる際に、その傾斜面４２が袋ナット３０の傾斜面３４によって押圧可能な位置に配設されている。よって、袋ナット３０の本締め時には、締付リング４０は袋ナット３０により径方向内側に押圧されて配管２に圧着され、配管２を管継手１に堅固に固定する。
【００３２】
次いでリング部材５０について説明する。本例のリング部材５０は、いわゆる「表示リング」としての機能も有するものであり、袋ナット３０の継手本体１０へのねじ込み位置を確認するためにも用いられる。具体的には、袋ナット３０が継手本体１０の雄ねじ部２６に本締めされて所定の位置までねじ込まれた際には、リング部材５０は袋ナット３０の雌ねじ部３３の先端により隠され、所定の位置まで袋ナット３０のねじ込みが完了したことを容易に確認することができる。そのために、リング部材５０は、継手本体１０および袋ナット３０とは異なる色、例えば赤色などに着色され、袋ナット３０により隠され、赤色が目視できなくなれば、ねじ込みが完了したものと容易に知ることができるように構成することが望ましい。
【００３３】
図３および図４に示すように、リング部材５０は底面視において「Ｃ字」状に形成された高さの低い円筒状の部材である。リング部材５０の本体部５１の外周面には、後述するように袋ナット３０の突状部３７が当接可能な第一突起５３（５３ａ，５３ｂ，５３ｃ，５３ｄ，５３ｅ）および第二突起６０（６０ａ，６０ｂ，６０ｃ，６０ｄ，６０ｅ）を備えている。本体部５１の外周面の下方寄りには軸回りに周回状に複数の第一突起５３が、上方寄りには軸回りに周回状に複数の第二突起６０を備え、これらはリング部材５０の軸方向において隣接して備えている。図３に示すように、これらの第一突起５３および第二突起６０は、リング部材５０の本体部５１の外周面の５か所に備えている。これらのうち、本体部５１の切欠き５２を挟んだ端部５４ａ，５４ｂには第一突起５３ａ、５３ｂを備えている。そして底面視において本体部５１の切欠き５２の中間から、約９０度ずつ角度を変えた位置を中心として、第一突起５３ｃ，５３ｄ，５３ｅを備えている。底面視における第一突起５３ａ，５３ｂの長さは、これら以外の第一突起５３ｃ，５３ｄ，５３ｅの長さの約半分とされ、具体的には第一突起５３ａ，５３ｂの長さは３ｍｍに、第一突起５３ｃ，５３ｄ，５３ｅの長さは６ｍｍとされている。また、各第一突起５３は本体部５１の内周面に沿って一定の幅で円弧状に形成されている。リング部材５０の底面視において、これらの各第一突起５３の位置の上方に各第二突起６０ａ〜６０ｅを備えている。すなわち、各第一突起５３と各第二突起６０とはそれぞれリング部材５０の軸回りの同位置に備えられている。また、底面視における第二突起６０ａ，６０ｂの長さは、これら以外の第二突起６０ｃ，６０ｄ，６０ｅの長さの約半分とされ、具体的には第一突起５３と同様に、第二突起６０ａ，６０ｂの長さは３ｍｍに、第二突起６０ｃ，６０ｄ，６０ｅの長さは６ｍｍとされている。各第ニ突起６０は本体部５１の内周面に沿って一定の幅で円弧状に形成されている。
【００３４】
図４に示すように、各第一突起５３はリング部材５０の本体部５１の外周面の下端に備えている。また、各第一突起５３は、リング部材５０の側面視において上方から下方に向けて本体部５１からの高さが低くなるようにテーパー部５５を備えている。すなわち、このテーパー部５５は袋ナット３０を継手本体１０に螺着する際に突状部３７が接触する側に向かって徐々に低くなるように傾斜するように形成されている。また、各第二突起６０は、各第一突起５３から一定の間隔を空けて本体部５１の外周面の上方寄りに備えており、各第一突起５３と各第二突起６０の間には溝部５６が備えられている。各溝部５６の上下方向の間隔は、前述した袋ナット３０の突状部３７の高さよりも広く設けられており、各溝部５６に突状部３７が係合可能である。
【００３５】
各第二突起６０は側面視において縦長の矩形状に形成されている。よって、各第二突起６０の上下の端面は、リング部材５０の本体部５１の外周面に対してほぼ垂直に形成されている。なお、各第二突起６０の上下の角部は面取りが施されている。また、各第二突起６０の上方から本体部５１の上端面までは一定の間隔が設けられており、それぞれ段部６２が備えられている。各段部６２の高さは、前述した袋ナット３０の突状部３７の高さよりも高く設けられている。よって、図２に示すように、リング部材５０が継手本体１０の嵌合小径部２４に取り付けられた際に、ナット部１２と第二突起６０との間の段部６２に、突状部３７が係合可能となるように構成されている。
【００３６】
図３に示すように、リング部材５０の本体部５１の内周面の上端付近には、底面視において各第一突起５３および各第二突起６０の円周に沿った中間の位置に、約９０度ずつ角度を変えた位置を中心として４つの嵌合フランジ７０ａ〜７０ｄが本体部５１の径方向内側に向けて突設されている。各嵌合フランジ７０（７０ａ，７０ｂ，７０ｃ，７０ｄ）は、本体部５１の内周面に沿って一定の幅で円弧状に形成されている。リング部材５０が継手本体１０の嵌合小径部２４に取り付けられた際には、これらの各嵌合フランジ７０が継手本体１０の円周溝２２内に係止されて、継手本体１０に対してリング部材５０の抜け止めがなされる。
【００３７】
また、リング部材５０の本体部５１の底面視において各第一突起５３および各第二突起６０の円周に沿った中間の位置に、約９０度ずつ角度を変えた位置を中心として４つの突部８０ａ〜８０ｄが本体部５１の径方向内側に向けて突設されている。突部８０ａ〜８０ｄは本体部５１の内周面の上下方向における中央付近に設けられている。突部８０ａ〜８０ｄの底面視形状は半円状とされている。本体部５１はこれらの突部８０ａ〜８０ｄが継手本体１０の嵌合小径部２４の外周面に当接され、一方、本体部５１の内周面は、突部８０ａ〜８０ｄが設けられた部位以外の部位においては、嵌合小径部２４から僅かではあるが所定の間隔をおくようにして取り付けられている。
【００３８】
リング部材５０は、本例では合成樹脂製とされているが、袋ナット３０の締付時において、袋ナット３０がリング部材５０を弾性変形させて、袋ナット３０の突状部３７が第一突起５３および第二突起６０を乗り越えられるようなばね特性を備えていればよく、他の材質でも良い。
【００３９】
ついで前述した管継手１の使用方法および作用効果について説明する。図１に示すように、管継手１は、工場出荷時において袋ナット３０、締付リング４０およびリング部材５０が継手本体１０に取り付けられている（図１において配管２が図示されているが、工場出荷時には配管２は取り付けられていない）。この際において、袋ナット３０は、リング部材５０の第一突起５３と第二突起６０との間の溝部５６内に、その突状部３７が係合された位置となるように、継手本体１０の雄ねじ部２６に仮締めされている。リング部材５０は、前述したように円周溝２２内に嵌合フランジ７０を嵌合させて継手本体１０に対して抜け止めがなされている。また、リング部材５０の本体部５１は、その内周面の４か所に概ね等角度をおいて配置され、径方向内側に向けて突設された突部８０（図３参照）により、継手本体１０の嵌合小径部２４周りに支持されている。
【００４０】
袋ナット３０の仮締め方法について、より詳細に説明する。図５に示すように、袋ナット３０内に締付リング４０を配置した状態で、袋ナット３０を雄ねじ部２６にねじ込む。すると、袋ナット３０が、その雌ねじ部３３先端の突状部３７がリング部材５０の第一突起５３（図３参照）に当接するまで、ねじ込まれる。さらに袋ナット３０をねじ込むと、突状部３７のテーパー部３８と第一突起５３のテーパー部５５とが係り合って、突状部３７が第一突起５３を乗り越えようとする。この際には、突状部３７が第一突起５３をリング部材５０の径方向内側に向けて押圧する。ここで、リング部材５０の底面視において、第一突起５３は突部８０とそれぞれ４５度ずつ角度をずらした位置に配設されている。すなわち第一突起５３が設けられた本体部５１の内周面には突部８０は設けられておらず、本体部５１と嵌合小径部２４との間にはわずかな空間が設けられている。したがって、第一突起５３が設けられた部位の本体部５１は、突状部３７の押圧により内側に撓むことが可能である。このようにして突状部３７は第一突起５３を乗り越えて、図２に示すように溝部５６内に係合され、袋ナット３０が仮締め状態となる。
【００４１】
この仮締め作業においては、まず突状部３７が第一突起５３に当接して乗り越える際の袋ナット３０の締め付け動作への抵抗により、袋ナット３０が仮締め位置の手前にあることを知ることができる。そして、さらに袋ナット３０を締め付けて突状部３７が溝部５６に係合されるので、それまでの抵抗が無くなることにより、仮締め状態となったことを袋ナット３０の締め付け動作への抵抗の変化で知ることができる。同時に、仮締め位置においてはリング部材５０はすべてが隠蔽されてはおらず、一部が露呈している。よって、特に他の部位と異なる色に着色されたリング部材５０を目視できることにより、袋ナット３０は本締め状態にまでは至っていないことを容易に確認することができる。後述するように、施工現場において配管２を挿嵌する前に本締め状態にまで袋ナット３０を締め付けてしまうと、締付リング４０が縮径されてしまい、施工現場での配管２の挿嵌作業が困難になってしまう。本例では、このように工場出荷時に誤って本締め状態となるおそれを低減することができる。
【００４２】
さらに、リング部材５０は、第二突起６０の下端面が第一突起５３とは異なり、軸心に対して角度がよりきつくほぼ垂直とされている。よって、この仮締め状態からさらに袋ナット３０を締め付けようとした場合には、テーパー部５５が備えられた第一突起５３を突状部３７が乗り越える場合よりも、袋ナット３０の締め付けに必要な力は強くなる。よって、仮締め状態から間違ってさらに本締め状態にまで締め付けてしまうおそれを低減することができる。
【００４３】
そして、仮締め状態においては、袋ナット３０が雄ねじ部２６から抜ける方向において突状部３７が溝部５６に係合するので、搬送時の振動などによっても、仮締め状態の袋ナット３０が継手本体１０から容易には脱落しない。
【００４４】
ついで施工現場での配管２の取付方法について説明する。施工現場で給水源等に接続された配管２の端部を所望の位置で切断し、図１に示すように、この配管２を袋ナット３０の先細部３１側の開口部３２内へ挿嵌する。そして、配管２の端部を継手本体１０の段部２７に当接するまで挿嵌し、袋ナット３０を工具により増し締めして本締め状態とする。
【００４５】
仮締め状態では溝部５６内に位置していた袋ナット３０の突状部３７は、第二突起６０を乗り越えて第二突起６０を押圧しながら、図６に示すように、本体部５１の上方の段部６２にまで至る。前述したように、第二突起６０の下端は第一突起５３のようにテーパー部５５が設けられていないので、この本締めの際に必要な袋ナット３０の締め付け力は、仮締め時と異ならせることができる。よって、例えば仮締めは手作業で可能であるが、本締めには工具などを必要とするようにリング部材５０のばね特性を調整して、手作業でおこなう前提の仮締めの際に誤って本締めをおこなってしまうおそれをさらに低減させることができる。また同時に、袋ナット３０の先細部３１内の傾斜面３４が締付リング４０の傾斜面４２を押圧して、締付リング４０を縮径させて配管２の外周面に圧着させ、配管２を継手本体１０に堅固に固定する。
【００４６】
そして、本締め状態においては、袋ナット３０が雄ねじ部２６から抜ける方向において突状部３７が溝部５６に係合するので、吐止水などの振動によっても本締め状態の袋ナット３０が継手本体１０から容易には脱落しない。
【００４７】
本発明の実施の形態は前述のように構成されているが、本発明はこの実施の形態に限られるものではなく、本発明の主旨の範囲内で種々の変更が可能である。以下の例において第１の実施の形態と共通する構成については、第１の実施の形態と同一の符号を図面に付して説明を省略する。図７に示す第２の実施の形態の管継手１ａは、リング部材５０ａの第一突起５３ｆの形状が、第１の実施の形態と異なり側面視において矩形とされているものである。すなわち、下方に向けたテーパー部は備えていない。このような構成であっても、仮締め状態における袋ナット３０の抜け止め、仮締め時において誤って本締めをしてしまうおそれの低減、および本締め状態における袋ナット３０の抜け止めは、第１の実施の形態と同様に実現することができる。
【００４８】
また、図８に示す第３の実施の形態のように、第一突起５３および第二突起６０の両方のそれぞれの下端にテーパー部５５を設けたリング部材５０ｂを備えた管継手１ｂとしても良い。このように構成することにより、仮締め時および本締め時の両方において、袋ナット３０の締め付けを円滑に行うことができる。一方、本実施の形態では第一突起５３よりも第二突起６０を高く形成している。よって、同じくテーパー部５５によって締め付けを円滑に開始できるとしても、第一突起５３よりも第二突起６０を乗り越えるために必要な袋ナット３０の締め付け力を強く定めることができるので、仮締め時に誤って本締めをしてしまうおそれを低減することができる。
【００４９】
また、図９に示す第４の実施の形態の管継手１ｃは、他の実施の形態とは異なり、袋ナット３０ａ側に第一突起５３や第二突起６０を備え、リング部材５０ｃ側に突状部３７を備えたものである。このように袋ナット３０とリング部材５０との一部の構成を入れ替えても、仮締め状態における袋ナット３０の抜け止め、仮締め時において誤って本締めをしてしまうおそれの低減および本締め状態における袋ナット３０の抜け止めを実現することができる。
【００５０】
また、例えばリング部材５０の底面視における第一突起５３および第二突起６０の長さは、突部８０により干渉されて本体部５１の弾性変形が不十分とならない程度に、適宜変更することができる。第一突起５３および第二突起６０の数は、袋ナット３０の締め付けと抜け止めとに支障のない場合に適宜変更することができる。また、継手本体１０への安定的な取付状態とリング部材５０の適正な弾性変形に問題がない場合には、突部８０を省略しても良い。
【産業上の利用可能性】
【００５１】
本発明は、給水用配管または給湯用配管などを接続するための管継手に広く利用することができる。
【符号の説明】
【００５２】
１，１ａ，１ｂ，１ｃ；管継手、２；配管、１０；継手本体、１２；ナット部、１４；接続部、１５；雄ねじ、２０；円筒部。２２；円周溝、２４；嵌合小径部、２６；雄ねじ部、２７；段部、２８；Ｏリング用溝、２９；Ｏリング、３０，３０ａ；袋ナット、３１；先細部、３２；開口部、３３；雌ねじ部、３４；傾斜面、３５；開口部、３６；凹部、３７；突状部、３８；テーパー部、３９；係止面、４０；締付リング、４２；傾斜面、５０，５０ａ，５０ｂ，５０ｃ；リング部材、５１；本体部、５２；切欠き、５３（５３ａ，５３ｂ，５３ｃ，５３ｄ，５３ｅ，５３ｆ）；第一突起、５４ａ，５４ｂ；端部、５５；テーパー部、５６；溝部、６０（６０ａ，６０ｂ，６０ｃ，６０ｄ，６０ｅ）；第二突起、６２；段部、７０（７０ａ，７０ｂ，７０ｃ，７０ｄ）；嵌合フランジ、８０（８０ａ，８０ｂ，８０ｃ，８０ｄ）；突部。
【図１】
2015218758.tif 000003
【図２】
2015218758.tif 000004
【図３】
2015218758.tif 000005
【図４】
2015218758.tif 000006
【図５】
2015218758.tif 000007
【図６】
2015218758.tif 000008
【図７】
2015218758.tif 000009
【図８】
2015218758.tif 000010
【図９】
2015218758.tif 000011